【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】３次元形状処理装置、３次元座標値入力方法および記録媒体
【手続補正２】
【補正対象書類名】明細書
【補正対象項目名】特許請求の範囲
【補正方法】変更
【補正の内容】
【特許請求の範囲】
【請求項１】
３次元空間内における位置の指示を２次元平面として表示された操作画面により入力することができる３次元形状処理装置において、入力可能な３次元座標値の範囲である入力可能範囲を指定させる入力可能範囲指定手段と、その入力可能範囲指定手段により指定された入力可能範囲を操作画面上に表示する入力可能範囲表示手段と、入力可能な３次元座標値の範囲を前記入力可能範囲表示手段により表示された入力可能範囲内に制限する座標値範囲制限手段とを備えたことを特徴とする３次元形状処理装置。
【請求項２】
請求項１記載の３次元形状処理装置において、前記入力可能範囲を指定させる際、Ｘ、Ｙ、Ｚ座標値のうちのいずれかひとつまたは２つを固定し、固定されていない指示座標値は指示された操作画面上の位置と連動して変化する値とすることを特徴とする３次元形状処理装置。
【請求項３】
請求項２記載の３次元形状処理装置において、固定される座標値として所望の座標値が入力可能であることを特徴とする３次元形状処理装置。
【請求項４】
請求項１記載の３次元形状処理装置において、前記入力可能範囲を画面上に表示された３次元形状中の指示された部分形状とすることを特徴とする３次元形状処理装置。
【請求項５】
請求項４記載の３次元形状処理装置において、前記部分形状が一つの面であることを特徴とする３次元形状処理装置。
【請求項６】
請求項１乃至請求項５のいずれか１項に記載の３次元形状処理装置において、指定された前記入力可能範囲を画面上に形状で示すことを特徴とする３次元形状処理装置。
【請求項７】
請求項６記載の３次元形状処理装置において、画面上に形状で示された前記入力可能範囲だけが３次元座標値の入力可能範囲である旨のメッセージを表示することを特徴とする３次元形状処理装置。
【請求項８】
請求項６または請求項７記載の３次元形状処理装置において、３次元座標値を指定させるためのカーソルの移動範囲を画面上に形状で表示された前記指定範囲内に制限することを特徴とする３次元形状処理装置。
【請求項９】
３次元空間内における位置の指示を２次元平面として表示された操作画面により入力する３次元座標値入力方法において、入力可能な３次元座標値の範囲である入力可能範囲を指定させ、指定された入力可能範囲を操作画面上に表示して、入力可能な３次元座標値の範囲を表示された前記入力可能範囲内に制限することを特徴とする３次元座標値入力方法。
【請求項１０】
請求項９記載の３次元座標値入力方法において、前記入力可能範囲を指定させる際、Ｘ、Ｙ、Ｚ座標値のうちのいずれかひとつまたは２つを固定し、固定されていない指示座標値は指示された操作画面上の位置と連動して変化する値とすることを特徴とする３次元座標値入力方法。
【請求項１１】
請求項１０記載の３次元座標値入力方法において、固定される座標値として所望の座標値が入力可能であることを特徴とする３次元座標値入力方法。
【請求項１２】
請求項９記載の３次元座標値入力方法において、前記入力可能範囲を画面上に表示された３次元形状中の指示された部分形状とすることを特徴とする３次元座標値入力方法。
【請求項１３】
請求項１２記載の３次元座標値入力方法において、前記部分形状が一つの面であることを特徴とする３次元座標値入力方法。
【請求項１４】
請求項９乃至請求項１３のいずれか１項に記載の３次元座標値入力方法において、指定された前記入力可能範囲を画面上に形状で示すことを特徴とする３次元座標値入力方法。
【請求項１５】
請求項１４記載の３次元座標値入力方法において、画面上に形状で示された前記入力可能範囲だけが３次元座標値の入力可能範囲である旨のメッセージを表示することを特徴とする３次元座標値入力方法。
【請求項１６】
請求項１７または請求項１５記載の３次元座標値入力方法において、３次元座標値を指定させるためのカーソルの移動範囲を画面上に形状で表示された前記指定範囲内に制限することを特徴とする３次元座標値入力方法。
【請求項１７】
プログラムを記憶した記録媒体において、請求項９乃至請求項１６のいずれか１項に記載の３次元座標値入力方法に従ってプログラミングしたプログラムを記憶したことを特徴とする記録媒体。
【手続補正３】
【補正対象書類名】明細書
【補正対象項目名】０００４
【補正方法】変更
【補正の内容】
【０００４】
【課題を解決するための手段】
前記の課題を解決するために、請求項１記載の発明では、３次元空間内における位置の指示を２次元平面として表示された操作画面により入力することができる３次元形状処理装置において、入力可能な３次元座標値の範囲である入力可能範囲を指定させる入力可能範囲指定手段と、その入力可能範囲指定手段により指定された入力可能範囲を操作画面上に表示する入力可能範囲表示手段と、入力可能な３次元座標値の範囲を前記入力可能範囲表示手段により表示された入力可能範囲内に制限する座標値範囲制限手段とを備えたことを特徴とする。
また、請求項２では、請求項１記載の３次元形状処理装置において、前記入力可能範囲を指定させる際、Ｘ、Ｙ、Ｚ座標値のうちのいずれかひとつまたは２つを固定し、固定されていない指示座標値は指示された操作画面上の位置と連動して変化する値とすることを特徴とする。
また、請求項３では、請求項２記載の３次元形状処理装置において、固定される座標値として所望の座標値が入力可能であることを特徴とする。
また、請求項４では、請求項１記載の３次元形状処理装置において、前記入力可能範囲を画面上に表示された３次元形状中の指示された部分形状とすることを特徴とする。
また、請求項５では、請求項４記載の３次元形状処理装置において、前記部分形状が一つの面であることを特徴とする。
また、請求項６では、請求項１乃至請求項５のいずれか１項に記載の３次元形状処理装置において、指定された前記入力可能範囲を画面上に形状で示すことを特徴とする。
また、請求項７では、請求項６記載の３次元形状処理装置において、画面上に形状で示された前記入力可能範囲だけが３次元座標値の入力可能範囲である旨のメッセージを表示することを特徴とする。
また、請求項８では、請求項６または請求項７記載の３次元形状処理装置において、３次元座標値を指定させるためのカーソルの移動範囲を画面上に形状で表示された前記指定範囲内に制限することを特徴とする。
また、請求項９記載の発明では、３次元空間内における位置の指示を２次元平面として表示された操作画面により入力する３次元座標値入力方法において、入力可能な３次元座標値の範囲である入力可能範囲を指定させ、指定された入力可能範囲を操作画面上に表示して、入力可能な３次元座標値の範囲を表示された前記入力可能範囲内に制限する構成にしたことを特徴とする。
また、請求項１０記載の発明では、請求項９記載の発明において、前記入力可能範囲を指定させる際、Ｘ、Ｙ、Ｚ座標値のうちのいずれかひとつまたは２つを固定し、固定されていない指示座標値は指示された操作画面上の位置と連動して変化する値としたことを特徴とする。
また、請求項１１記載の発明では、請求項１０記載の発明において、固定される座標値として所望の座標値が入力可能である構成にしたことを特徴とする。
また、請求項１２記載の発明では、請求項９記載の発明において、前記入力可能範囲を画面上に表示された３次元形状中の指示された部分形状としたことを特徴とする。
また、請求項１３記載の発明では、請求項１２記載の発明において、前記部分形状が一つの面である構成にしたことを特徴とする。
また、請求項１４記載の発明では、請求項９乃至請求項１３のいずれか１項に記載の３次元座標値入力方法において、指定された前記入力可能範囲を画面上に形状で示す構成にしたことを特徴とする。
また、請求項１５記載の発明では、請求項１４記載の発明において、画面上に形状で示された前記入力可能範囲だけが３次元座標値の入力可能範囲である旨のメッセージを表示する構成にしたことを特徴とする。
また、請求項１６記載の発明では、請求項１４または請求項１５記載の発明において、３次元座標値を指定させるためのカーソルの移動範囲を画面上に形状で表示された前記指定範囲内に制限する構成にしたことを特徴とする。
また、請求項１７記載の発明では、プログラムを記憶した記録媒体において、請求項９乃至請求項１６のいずれか１項に記載の３次元座標値入力方法に従ってプログラミングしたプログラムを記憶したことを特徴とする。
【手続補正４】
【補正対象書類名】明細書
【補正対象項目名】００１０
【補正方法】変更
【補正の内容】
【００１０】
【発明の効果】
以上説明したように、本発明によれば、請求項１および請求項９記載の発明では、３次元空間内における位置の指示を２次元平面として表示された操作画面により入力する際、入力可能な３次元座標値の範囲である入力可能範囲を指定すると、その入力可能範囲が操作画面上に表示され、入力可能な３次元座標値の範囲が表示された入力可能範囲内に制限されるので、３次元空間内における位置の指示を従来よりも迅速に行うことができる。
また、請求項２および請求項１０記載の発明では、前記入力可能範囲を指定させる際、Ｘ、Ｙ、Ｚ座標値のうちのいずれかひとつまたは２つが固定され、固定されていない指示座標値は指示された操作画面上の位置と連動して変化するので、前記入力可能範囲の指定を簡単に且つ正確に行うことができる。
また、請求項３および請求項１１記載の発明では、固定される座標値として所望の座標値が入力可能であるので、状況に合わせて柔軟な対応が可能となる。
また、請求項４および請求項１２記載の発明では、前記入力可能範囲が画面上に表示された３次元形状中の指示された部分形状であるので、所望の部分形状上の所望の位置を、より迅速に且つより正確に入力することができる。
また、請求項５および請求項１３記載の発明では、前記入力可能範囲が画面上に表示された３次元形状中の指示された面であるので、所望の面上の所望の位置を、より迅速に且つより正確に入力することができる。
また、請求項６および請求項１４記載の発明では、指定された前記入力可能範囲が画面上に形状で示されるので、前記入力可能範囲が意図通りか否かを確認することができるし、画面上に示された形状を見ながら入力位置を指定することができる。
【手続補正５】
【補正対象書類名】明細書
【補正対象項目名】００１１
【補正方法】変更
【補正の内容】
【００１１】
また、請求項７および請求項１５記載の発明では、画面上に形状で示された前記入力可能範囲だけが３次元座標値の入力可能範囲である旨のメッセージが表示されるので、説明書などを読まなくても、表示された面や線が入力可能範囲であることを容易に知ることができる。
また、請求項８および請求項１６記載の発明では、３次元座標値を指定させるためのカーソルの移動範囲が画面上に形状で表示された前記指定範囲内に制限されるので、カーソルの移動可能範囲を入力可能範囲として位置の入力を行なうことができる。
また、請求項１７記載の発明では、請求項９乃至請求項１６のいずれか１項に記載の３次元座標値入力方法に従ってプログラミングしたプログラムが例えば着脱可能な記録媒体に記憶されるので、その記録媒体をこれまで請求項９乃至請求項１６のいずれか１項に記載の発明によった３次元座標値入力が行えなかったパーソナルコンピュータなど情報処理装置に装着することにより、その情報処理装置においても請求項９乃至請求項１６のいずれか１項に記載の発明の効果を得ることができる。